【手続補正書】
【提出日】平成30年12月11日(2018.12.11)
【手続補正１】
【補正対象書類名】特許請求の範囲
【補正対象項目名】全文
【補正方法】変更
【補正の内容】
【特許請求の範囲】
【請求項１】
音速情報と光学係数情報との関係を示す情報を取得する第１の取得手段と、
被検体の光学係数情報を取得する第２の取得手段と、
前記被検体の光学係数情報と前記関係を示す情報とを用いて、前記被検体の光学係数情報に対応する前記被検体の音速情報を取得する第３の取得手段と、
を有することを特徴とする情報処理装置。
【請求項２】
光が照射された前記被検体から発生する音響波に由来する信号を取得する第４の取得手段を有し、
前記第２の取得手段は、前記信号を用いて前記被検体の光学係数情報を取得する
ことを特徴とする請求項１に記載の情報処理装置。
【請求項３】
前記第２の取得手段は、前記被検体の光学係数の代表値を前記光学係数情報として取得し、
前記第３の取得手段は、前記被検体の光学係数情報と前記関係を示す情報とを用いて、前記被検体の光学係数の代表値に対応する前記音速情報を取得する
ことを特徴とする請求項１または２に記載の情報処理装置。
【請求項４】
前記第２の取得手段は、前記被検体の複数の位置における光学係数を前記光学係数情報として取得し、
前記第３の取得手段は、前記光学係数情報と前記関係を示す情報とを用いて、前記被検体の複数の位置における光学係数に対応する前記音速情報を取得する
ことを特徴とする請求項１または２に記載の情報処理装置。
【請求項５】
前記被検体の年齢情報を取得する第５の取得手段を有し、
前記関係を示す情報は、年齢情報、前記音速情報、及び前記光学係数情報の関係を示す情報であり、
前記第３の取得手段は、前記被検体の年齢情報、前記被検体の光学係数情報、及び前記関係を示す情報を用いて、前記被検体の年齢情報および前記被検体の光学係数情報に対応する前記被検体の音速情報を取得する
ことを特徴とする請求項１から４のいずれか１項に記載の情報処理装置。
【請求項６】
前記第５の取得手段は、ユーザによる入力に基づいて前記年齢情報を取得する
ことを特徴とする請求項５に記載の情報処理装置。
【請求項７】
前記被検体の乳腺密度、年齢、性別、及び人種の少なくとも１つを示す前記被検体のパラメータを取得する第５の取得手段を有し、
前記関係を示す情報は、乳腺密度、年齢、性別、及び人種の少なくとも１つを示すパラメータ、前記音速情報、及び前記光学係数情報の関係を示す情報であり、
前記第３の取得手段は、前記被検体のパラメータ、前記被検体の音速情報、及び前記関係を示す情報を用いて、前記被検体のパラメータおよび前記被検体の光学係数情報に対応する前記被検体の音速情報を取得する
ことを特徴とする請求項１から４のいずれか１項に記載の情報処理装置。
【請求項８】
前記第５の取得手段は、ユーザによる入力に基づいて前記被検体のパラメータを取得する
ことを特徴とする請求項７に記載の情報処理装置。
【請求項９】
被検体に照射される光の波長に関する情報を取得する第６の取得手段を更に有し、
前記関係を示す情報は、光の波長、前記音速情報、及び前記光学係数情報の関係を示す情報であり、
前記第３の取得手段は、前記波長に関する情報、前記被検体の光学係数情報、及び前記関係を示す情報を用いて、前記波長に関する情報および前記被検体の光学係数情報に対応する前記被検体の音速情報を取得する
ことを特徴とする請求項１から４のいずれか１項に記載の情報処理装置。
【請求項１０】
前記関係を示す情報は、前記音速情報と前記光学係数情報との関係を示す関係テーブルまたは関係式である
ことを特徴とする請求項１から９のいずれか１項に記載の情報処理装置。
【請求項１１】
前記関係を示す情報が格納されたメモリを更に有し、
前記第１の取得手段は、前記メモリに格納された前記関係を示す情報を読み出すことにより、前記関係を示す情報を取得する
ことを特徴とする請求項１から１０のいずれか１項に記載の情報処理装置。
【請求項１２】
光が照射された前記被検体から発生する音響波を受信することにより得られた信号を取得する第４の取得手段と、
前記信号、前記被検体の音速情報、及び前記被検体の光学係数情報を用いて、被検体情報を取得する第７の取得手段と、
を有することを特徴とする請求項１から１１のいずれか１項に記載の情報処理装置。
【請求項１３】
前記第７の取得手段は、
前記信号と前記被検体の音速情報とを用いて、前記被検体内の初期音圧分布を取得し、
前記被検体の光学係数情報を用いて、前記被検体内の光フルエンス分布を取得し、
前記初期音圧分布と前記光フルエンス分布とを用いて、前記被検体内の光吸収係数分布に関する前記被検体情報を取得する第７の取得手段と、
を有することを特徴とする請求項１２に記載の情報処理装置。
【請求項１４】
前記第４の取得手段は、互いに異なる複数の波長の光が照射された前記被検体から発生する光音響波に由来する、前記複数の波長に対応する信号を取得し、
前記第２の取得手段は、前記複数の波長の一部の波長に対応する前記被検体の光学係数情報を取得し、
前記第３の取得手段は、前記一部の波長に対応する前記被検体の光学係数情報を用いて、前記被検体の音速情報を取得し、
前記第７の取得手段は、前記一部の波長に対応する前記被検体の光学係数情報を用いて得られた前記音速情報と、前記複数の波長のそれぞれに対応する前記信号と、を用いて、前記複数の波長に対応する前記被検体情報を取得する
ことを特徴とする請求項１２に記載の情報処理装置。
【請求項１５】
前記第７の取得手段は、前記一部の波長に対応する前記被検体の光学係数情報を用いて得られた前記被検体の音速情報と、前記複数の波長に対応する前記信号と、を用いて、前記複数の波長に対応する初期音圧分布を取得し、
前記第２の取得手段は、前記複数の波長に対応する前記被検体の光学係数情報を取得し、
前記複数の波長に対応する前記被検体の光学係数情報を用いて、前記複数の波長に対応する光フルエンス分布を取得し、
前記複数の波長に対応する前記初期音圧分布と、前記複数の波長に対応する前記光フルエンス分布と、を用いて、前記被検体情報を取得する
ことを特徴とする請求項１４に記載の情報処理装置。
【請求項１６】
請求項２、１２から１５のいずれか１項に記載の処理装置と、
光を前記被検体に照射する光照射手段と、
前記光照射手段からの光が照射された前記被検体から発生する音響波を前記信号に変換する受信手段と、
を有することを特徴とする光音響装置。
【請求項１７】
音速情報と光学係数情報との関係を示す情報を取得し、
被検体の光学係数情報を取得し、
前記被検体の光学係数情報と前記関係を示す情報とを用いて、前記被検体の光学係数情報に対応する前記被検体の音速情報を取得する
ことを特徴とする情報処理方法。
【請求項１８】
光が照射された前記被検体から発生する音響波に由来する信号を取得し、
前記信号を用いて前記被検体の光学係数情報を取得する
ことを特徴とする請求項１７に記載の情報処理方法。
【請求項１９】
前記被検体の年齢情報を取得し、
前記関係を示す情報は、年齢情報、前記音速情報、及び前記光学係数情報の関係を示す情報であり、
前記被検体の年齢情報、前記被検体の光学係数情報、及び前記関係を示す情報を用いて、前記被検体の年齢情報および前記被検体の光学係数情報に対応する前記被検体の音速情報を取得する
ことを特徴とする請求項１７または１８に記載の情報処理方法。
【請求項２０】
被検体に照射される光の波長に関する情報を取得し、
前記関係を示す情報は、光の波長、前記音速情報、及び前記光学係数情報の関係を示す情報であり、
前記波長に関する情報、前記被検体の光学係数情報、及び前記関係を示す情報を用いて、前記波長に関する情報および前記被検体の光学係数情報に対応する前記被検体の音速情報を取得する
ことを特徴とする請求項１７または１８に記載の情報処理方法。
【請求項２１】
前記関係を示す情報は、前記音速情報と前記光学係数情報との関係を示す関係テーブルまたは関係式である
ことを特徴とする請求項１７から２０のいずれか１項に記載の情報処理方法。
【請求項２２】
光が照射された前記被検体から発生する音響波を受信することにより得られた信号を取得し、
前記信号、前記被検体の音速情報、及び前記被検体の光学係数情報を用いて、被検体情報を取得する
ことを特徴とする請求項１７から２１のいずれか１項に記載の情報処理方法。
【請求項２３】
前記信号と前記被検体の音速情報とを用いて、前記被検体内の初期音圧分布を取得し、
前記被検体の光学係数情報を用いて、前記被検体内の光フルエンス分布を取得し、
前記初期音圧分布と前記光フルエンス分布とを用いて、前記被検体内の光吸収係数分布に関する前記被検体情報を取得する
ことを特徴とする請求項２２に記載の情報処理方法。
【請求項２４】
請求項１７から２３のいずれか１項に記載の情報処理方法をコンピュータに実行させるプログラム。
【手続補正２】
【補正対象書類名】明細書
【補正対象項目名】発明の名称
【補正方法】変更
【補正の内容】
【発明の名称】情報処理装置、光音響装置、情報処理方法、及びプログラム
【手続補正３】
【補正対象書類名】明細書
【補正対象項目名】０００５
【補正方法】変更
【補正の内容】
【０００５】
本発明に係る情報処理装置は、音速情報と光学係数情報との関係を示す情報を取得する第１の取得手段と、被検体の光学係数情報を取得する第２の取得手段と、被検体の光学係数情報と関係を示す情報とを用いて、被検体の光学係数情報に対応する被検体の音速情報を取得する第３の取得手段と、を有する。